(57)【要約】【課題】パネル板（Ａ）は、光を通して軽くて丈夫な素材で形成し、横方向に隣接するように多数設けて、板状にした後、締付打掛（Ｄ）を掛け、窓枠下のストッパーアーム（Ｆ）及び、丸落とし（Ｇ）でロックする事で、空き巣の侵入を防ぐ効果のある防犯用カーテンを提供する。【解決手段】前記、パネル板（Ａ）は発泡スチロール及びプラスティックからなる、軽くて丈夫な素材で形成した、パネル板（Ａ）を横方向に隣接するように多数設けて、締付打掛（Ｄ）を掛けた後、図７又は図８に示されるように窓枠下のストッパーアーム（Ｆ）を引き出し、丸落とし（Ｇ）の鉄柱部分を下に降ろしロックする事で、パネル板（Ａ）が屋内側に開くのを防止して空き巣の侵入を防ぐようにした事を特徴とする。【選択図】  図３
2005016050.tif 000002
【特許請求の範囲】
【請求項１】
板状の発泡スチロール材（Ａ３）の屋外側に、網材（Ａ２）を設けて、プラスティック材（Ａ１）で挟むように形成し、外周をアルミ枠（Ａ４）で加工した、パネル板（Ａ）を特徴とする、防犯用カーテン。
【請求項２】
前記、カーテンフック（Ｂ）及びリング（６）は丈夫な素材で形成し、カーテンボックスの高さに応じて、パネル板（Ａ）の上部に調整金具を取り付け、調整可能にし、パネル（Ａ）下のストッパーアーム（Ｆ）を設けた事で、床材に穴を開ける事無く、丸落とし（Ｇ）の使用が出来る事で、パネル板（Ａ）を内側に開くのを防止し、外部からの侵入を防ぐ事を特徴とする、請求項１に記載の防犯用カーテン。
【発明の詳細な説明】
【０００１】
【発明の属する技術分野】
この発明は、光りを通す素材のパネル板（Ａ）にストッパーアーム（Ｆ）及び、丸落とし（Ｇ）でロックする事で、空き巣の侵入を防ぐ効果を持たせた、防犯用カーテンに関するものである。
【０００２】
【従来の技術】
従来のカーテンは、泥棒が簡単に侵入できた。
（例えば、特許文献１参照。）。
防犯カーテンは金属線以外の布部を破けば、簡単に侵入出来る。
（例えば、特許文献２参照。）。
【０００３】
【特許文献１】特開平２−１２１６０７号公報
【特許文献２】実願平３―１１０３４２号公報
【０００４】
【発明が解決しようとする課題】
カーテンや防犯カーテンは次のような欠点があった。
（特許文献１）特開平２−１２１６０７号公報のカーテンは、次のような欠点があった。
１  防犯効果が無く、泥棒がガラスを割りカーテンやロールカーテンを開ければ、簡単に侵入出来た。
２  カーテンやロールカーテンは布製の物が多いいため、タバコの臭いや汚れが付きやすく、長期間洗わないと、ダニやカビが発生し、部屋の悪臭の原因になり発病する恐れもある。
３  クリーニング代が高額である。
（特許文献２）実願平３―１１０３４２号公報は、防犯カーテンは次のような欠点があった。
１  防犯効果があまり無く、金属線以外の布部を破けば、簡単に侵入出来る。
２  布部に金属線が埋め込まれているため、汚れてもクリーニングに出せない。３  取り付けが大変そう。
本発明は、以上の欠点を解決するためのものである。
【０００５】
【課題を解決するための手段】
本発明は、板状の発泡スチロール材（Ａ３）の屋外側に、網材（Ａ２）を設けて、プラスティック材（Ａ１）で挟むように形成し、外周をアルミ枠（Ａ４）で加工した、パネル板（Ａ）を特徴とする、防犯用カーテンを提供することにより上記課題を解決したものである。
本発明は、前記、カーテンフック（Ｂ）及びリング（６）は丈夫な素材で形成し、カーテンボックスの高さに応じて、パネル板（Ａ）の上部に調整金具を取り付け、調整可能にし、パネル（Ａ）下のストッパーアーム（Ｆ）を設けた事で、床材に穴を開ける事無く、丸落とし（Ｇ）の使用が出来る事で、パネル板（Ａ）を内側に開くのを防止し、外部からの侵入を防ぐ事を特徴とする、請求項１に記載の防犯用カーテンを提供することにより上記課題を解決したものである。
本発明は、以上の構成よりなる防犯用カーテンである。
【０００６】
【発明の実施の形態】
以下、本発明の実施の形態について説明する。
泥棒の侵入を防ぐ効果を持たせた、前記、カーテンレール（５）に軽くて丈夫な素材のプラスティック材（Ａ１）で発泡スチロール（Ａ３）及び網材（Ａ２）を挟むように形成した、パネル板（Ａ）を図６に示されるようにカーテンフック（Ｂ）と調整金具（Ｂ１）をつなぎ、スペンサー（Ｉ）及びリング（６）で吊り下げ、横方向に隣接するように形成し、図２に示されるようにパネル板（Ａ）の肉厚部分に蝶番（Ｃ）で連結させ、カーテン風にパネル板（Ａ）を多数連結させて形成する。閉じる際はパネル板（Ａ）が交互に折れ曲がり、窓面の左右に収納でき、使用時にはパネル板（Ａ）が横方向に伸び、窓面全体を板状にし、締付打掛（Ｄ）を掛けた後、図７又は、図８に示されるように窓枠下のストッパーアーム（Ｆ）を引き出し、丸落とし（Ｇ）の鉄柱部分をストッパーアーム（Ｆ）の穴に降ろし、ロックする事で、床材やタタミに穴やキズを付ける事なく、パネル板（Ａ）が屋内側に開くのを防止して、空き巣の侵入を防ぐ効果とパネル板が外から見える事で、事前に犯行を諦めさせる効果が有るのを特徴とする、防犯用カーテンである。
前記、カーテンフック（Ｂ）及び、リング（６）はパネル板（Ａ）の重さに耐えられるよう、丈夫な素材で形成し、カーテンボックスの高さに応じて、パネル板（Ａ）の位置を調整出来るようにした事を特徴とする、防犯用カーテンである。
本発明は以上のような構造で、これを使用するときは、昼間はカーテン同様開閉して、光を取り入れ、夜間や外出時はパネル板（Ａ）を横方向に伸ばし、窓面全体を板状にし、締付打掛（Ｄ）を掛けた後、窓枠下のストッパーアーム（Ｆ）を引き出し、丸落とし（Ｇ）の鉄柱部分を下に降ろしてロックし、パネル板（Ａ）が屋内側に開くのを防止して空き巣の侵入を防ぐように使用すればいい。
【０００７】
【発明の効果】
１  カーテンをパネル板にして、ロックした事で、空き巣がガラスを割っても、侵入出来なくなった。
２  従来の防犯グッズとは違い、パネル板が外から見える事で、空き巣がガラスを割る前に気が付き、諦める事で、ガラスの修理代の負担が少なくなった。
３  パネル板を発泡スチロールとプラスティックで形成した事で、光りを通すので部屋が暗くならず、防犯、保温、防音の効果が生まれた。
４  調整金具を設けた事で、カーテンボックスの高さに応じてパネル板（Ａ）の高さを調整出来るようになった。
５  ストッパーアーム及び丸落としを設けた事で、床材やタタミに穴やキズを付ける事なく、ロックでき、外部からの侵入者を防ぐ効果が生まれた。
６  カーテンが布製ではなく、プラスティック製なので、臭いやダニ、カビの発生が無く、掃除も簡単になった。
７  レースのカーテンと合わせて使え、周囲から死角になる窓面に効果的です。前記、防犯効果を目的とした、軽くて丈夫な素材のパネル板（Ａ）を横方向に隣接するように多数設けて、締付打掛（Ｄ）を掛けた後、窓枠下のストッパーアーム（Ｆ）を引き出し、丸落とし（Ｇ）の鉄柱部分を下に降ろして、パネル板（Ａ）が屋内側に開くのを防止しているので安心です。パネル板が外から見える事で侵入前に、ほとんどの空き巣が諦めてくれる効果があり、従来の防犯グッズのようにガラスの修理代が掛かりません、例えガラスを割られても侵入が出来ず、パネル本体を破くにはとても手間がかかり、空き巣にはとても効果があります、空き巣は一軒家の場合、６０％以上が窓ガラスを割り、侵入するそうです、侵入から逃走まで１０分以内で仕事をするので、手間のかかる家は最初から狙いません、最終的には時間がかかり、空き巣も諦めてしまう、防犯用カーテンです。
【図面の簡単な説明】
【図１】本発明のパネル材の分解斜視図である。
【図２】本発明の防犯用カーテンの分解斜視図である。
【図３】本発明の防犯用カーテンのイメージ図である。
【図４】本発明の防犯用カーテンの取り付け図平面図である。
【図５】本発明の防犯用カーテンフック部分の取り付け図である。
【図６】本発明の防犯用カーテンのカーテンフック部分拡大図である。
【図７】本発明の防犯用カーテンのストッパーアーム側面図である。
【図８】本発明の防犯用カーテンのストッパーアーム正面図である。
【符号の説明】
Ａ      パネル板
Ａ１  プラスティック材
Ａ２  網材
Ａ３  発泡スチロール
Ａ４  アルミ枠
Ｂ    カーテンフック
Ｂ１  調整金具
Ｃ  蝶番
Ｄ  締付打掛
Ｅ  締付打掛受け
Ｆ  ストッパーアーム
Ｇ    丸落とし
Ｈ    ねじ
Ｉ    スペンサー
１  窓
２  窓枠
３  サッシ
４  ガクブチ
５  カーテンレール
６  リング
７  床
【図１】
2005016050.tif 000003
【図２】
2005016050.tif 000004
【図３】
2005016050.tif 000005
【図４】
2005016050.tif 000006
【図５】
2005016050.tif 000007
【図６】
2005016050.tif 000008
【図７】
2005016050.tif 000009
【図８】
2005016050.tif 000010